(57)【要約】【課題】視聴者に対してより好適にデモモードを提供可能な映像処理装置及び映像処理方法を提供することを主たる目的とする。【解決手段】人物の存在を認識するセンサモジュール１２１と、自装置の有する機能に関するデモ映像を出力する映像処理モジュール３２と、センサモジュール１２１にて人物の存在を認識した場合に、デモ映像の出力を開始するよう映像処理モジュールを制御する制御モジュール３５を備える。つまり、センサモジュール１２１にて人物の存在を認識した場合にデモモードとなり、デモ映像の出力が開始されるようにデモモード制御モジュール３５ｃにより制御される。【選択図】  図２
2012231256.tif 000002
【特許請求の範囲】
【請求項１】
人物の存在を認識するセンサモジュールと、
自装置の有する機能に関するデモ映像を出力する映像処理モジュールと、
前記センサモジュールにて人物の存在を認識した場合に、前記デモ映像の出力を開始するよう前記映像処理モジュールを制御する制御モジュールとを備える映像処理装置。
【請求項２】
前記センサモジュールにて第１の人物を認識して、前記デモ映像の出力が開始された後に前記第１の人物と異なる第２の人物を認識した場合であっても、前記第１の人物が認識されている場合は、前記制御モジュールは前記デモ映像を開始位置から出力し直さないよう前記映像処理モジュールを制御する請求項１に記載の映像処理装置。
【請求項３】
前記センサモジュールにて第１の人物を認識して、前記デモ映像の出力が開始された後に、前記第１の人物を認識しなくなり、前記第１の人物と異なる第２の人物を認識した場合、前記制御モジュールは前記デモ映像を開始位置から出力し直すよう前記映像処理モジュールを制御する請求項２に記載の映像処理装置。
【請求項４】
前記センサモジュールにて第１の人物を認識して、前記デモ映像の出力が開始された後に、前記第１の人物を認識しなくなり、その後前記第１の人物を認識した場合、前記制御モジュールは前記デモ映像を開始位置から出力し直すよう前記映像処理モジュールを制御する請求項２または請求項３に記載の映像処理装置。
【請求項５】
前記デモ映像の前記映像処理モジュールからの出力を有効または無効に設定することを選択的に許可する選択手段を備える請求項１に記載の映像処理装置。
【請求項６】
前記センサモジュールにて人物の認識が出来なくなった場合に、前記制御モジュールは、前記デモ映像の出力を終了するよう前記映像処理モジュールを制御する請求項１に記載の映像処理装置。
【請求項７】
前記受光モジュールは音声信号を受信し、
前記デモ映像に対応する音声または前記音声信号に応じた音声を出力する音声処理モジュールを更に備え、
前記制御モジュールは、前記デモ映像に対応する音声の音量が前記音声信号に応じた音声の音量よりも大きくなるよう前記音声処理モジュールを制御することを特徴とする請求項１に記載の映像処理装置。
【請求項８】
前記センサモジュールで認識した人物の顔の情報を記憶するメモリを備え、
前記制御モジュールは、前記センサモジュールにて第１の人物の存在を認識した場合に、当該第１の人物の顔の情報を前記メモリに記録するよう制御し、かつ、第１のデモ映像を出力するよう前記映像処理モジュールを制御し、
前記センサモジュールにて前記第１の人物の存在を認識しなくなった後に、前記センサモジュールにて前記第１の人物を再び認識した場合に、前記第１のデモ映像とは異なる第２のデモ映像を出力するよう前記映像処理モジュールを制御する請求項１に記載の映像処理装置。
【請求項９】
デモ映像を出力する映像処理モジュールを備える映像処理装置の映像処理方法であって、
センサモジュールにて人物の存在を認識し、
前記センサモジュールにて人物の存在を認識した場合に、前記映像処理装置の有する機能に関するデモ映像の出力を開始するよう前記映像処理モジュールを制御する映像処理方法。
【発明の詳細な説明】
【技術分野】
【０００１】
この発明の実施形態は、デモモードで動作することが出来る映像処理装置及び映像処理方法に関する。
【背景技術】
【０００２】
液晶テレビ等の映像表示装置の販売では、その装置の特徴を宣伝するために販売店の店頭等でデモモードが用いられる。デモモードとは、デモンストレーションモードの略で、元の映像に様々な処理を施した映像をディスプレイに表示し、その映像の違いを顧客が直接確認することができるモードをいう。あるいは、当該装置が持つ様々な機能（例えば、映像を高画質化する映像処理機能）に関する説明文をディスプレイに表示して、当該機能を視聴者に説明することができるモードをいう。
【０００３】
例えば、特許文献１では、通常の映像の表示中にでも映像表示を任意のタイミングで切り替え、終了後には通常の映像に切り替えることが開示されている。
【先行技術文献】
【特許文献】
【０００４】
【特許文献１】特開２００９−２２４８５６号公報
【発明の概要】
【発明が解決しようとする課題】
【０００５】
上記のとおり、デモモードの機能を備えるテレビが考えられている。デモモードは、視聴者に対して当該機器が持つ機能を説明してアピールでき、宣伝効果という側面が比較的大きい。このため、視聴者に対して訴求効果の高いデモモードの機能が求められている。
【０００６】
そこで、本発明の実施形態では、視聴者に対してより好適にデモモードを提供可能な映像処理装置及び映像処理方法を提供することを主たる目的とする。
【課題を解決するための手段】
【０００７】
実施形態の映像処理装置は、人物の存在を認識するセンサモジュールと、自装置の有する機能に関するデモ映像を出力する映像処理モジュールと、前記センサモジュールにて人物の存在を認識した場合に、前記デモ映像の出力を開始するよう前記映像処理モジュールを制御する制御モジュールとを備える。
【０００８】
実施形態の映像処理方法は、デモ映像を出力する映像処理モジュールを備える映像処理装置の映像処理方法であって、センサモジュールにて人物の存在を認識し、前記センサモジュールにて人物の存在を認識した場合に、前記映像処理装置の有する機能に関するデモ映像の出力を開始するよう前記映像処理モジュールを制御する。
【図面の簡単な説明】
【０００９】
【図１】実施の形態におけるテレビジョン放送受信装置の外観を示す図である。
【図２】実施の形態におけるテレビジョン放送受信装置の主要な信号処理系を示す図である。
【図３】同実施の形態におけるテレビジョン放送受信装置が行なう処理動作の一例を示すフローチャートである。
【図４】同実施の形態におけるテレビジョン放送受信装置のモード設定を示す図である。
【図５】同実施の形態におけるテレビジョン放送受信装置のデモモードの際のディスプレイに表示される画像の一例を示す図である。
【図６】同実施の形態におけるテレビジョン放送受信装置のデモモードの際のディスプレイに表示される画像の一例を示す図である。
【図７】同実施の形態におけるテレビジョン放送受信装置のデモモードの際のディスプレイに表示される画像の一例を示す図である。
【図８】同実施の形態におけるテレビジョン放送受信装置のデモモードの際のディスプレイに表示される画像の一例を示す図である。
【図９】他の実施の形態におけるテレビジョン放送受信装置が行なう処理動作の一例を示すフローチャートである。
【発明を実施するための形態】
【００１０】
以下、この発明の実施形態について、図面を参照しながら説明する。図１は、以下の実施形態で説明するテレビジョン放送受信装置１１１の外観の一例を概略的に示している。
【００１１】
テレビジョン放送受信装置１１１は、主として、薄型の筐体（以下、キャビネット１１２）と、このキャビネット１１２を起立させて支持する支持台１１３とから構成されている。なお、支持台１１３を含めてキャビネットと称してもよい。キャビネット１１２には、例えば液晶表示パネルやプラズマパネル等を備えた平面パネル型ディスプレイであるディスプレイ１１４、一対のスピーカ１１５、操作モジュール１１６、リモートコントローラ１１７から送信される操作情報を受けるリモコン受光モジュール１１８等が設置されている。操作モジュール１１６は、キャビネット１１２の前面ではなく側面に配置されていても構わない。
【００１２】
キャビネット１１２の前面ほぼ中央であって、ディスプレイ１１４下部にはイルミネーション１１９が設けられている。イルミネーション１１９には、例えば社名や機種名を示す文字や記号（ロゴ部）が設けられており、例えばＬＥＤライトを光源としている。イルミネーション１１９は、電源がユーザ操作に応じてオフ状態からオン状態になると点灯し、オフ状態になると消灯する。
【００１３】
キャビネット１１２の右下部には、当該テレビジョン放送受信装置１１１の電源状態を示す電源インジケータ１２０がリモコン受光モジュール１１８と隣り合って設けられている。電源インジケータ１２０も例えばＬＥＤを光源としている。
【００１４】
キャビネット１１２のイルミネーション１１９の近傍には、人物の存在を認識するセンサモジュール１２１が設けられている。センサモジュール１２１は、例えばカメラセンサーであり、センシング範囲内にある人物の存在を例えば顔及び/または動きをカメラにて画像検知することで認識する。なお、センサモジュール１１２の配置は任意である。また、センサモジュール１１２は、人物の存在を認識するモジュールであればカメラを用いるセンサに限定されない。
【００１５】
図２は、被制御機器の一例である上記テレビジョン放送受信装置１１１の信号処理系の概略を示している。すなわち、アンテナ２５で受信したデジタルテレビジョン放送信号は、入力端子２６を介してチューナー２７に供給されることにより、所望のチャンネルの放送信号が選局される。
【００１６】
このチューナー２７で選局された放送信号は、復調・復号モジュール２８に供給されてデジタルの映像信号及び音声信号等に復元された後、信号処理モジュール２９に出力される。この信号処理モジュール２９は、復調・復号モジュール２８から供給されたデジタルの映像信号及び音声信号に対してそれぞれ所定のデジタル信号処理を施している。
【００１７】
信号処理モジュール２９は、デジタルの映像信号を合成処理モジュール３０に出力し、デジタルの音声信号を音声処理モジュール３１に出力している。このうち、合成処理モジュール３０は、信号処理部２９から供給されるデジタルの映像信号に、ＯＳＤ（on screen display）信号を重畳して映像処理モジュール３２に出力している。
【００１８】
映像処理モジュール３２は、入力されたデジタルの映像信号を、後段のディスプレイ１１４で表示可能なフォーマットに変換している。また、映像処理モジュール３２では、後述する超解像処理や動画改善処理を含めて様々な画質処理が行われる。映像処理モジュール３２から出力された映像信号が、ディスプレイ１１４に供給されて映像表示に供される。
【００１９】
音声処理モジュール３１は、入力されたデジタルの音声信号を、後段のスピーカ１１５で再生可能なフォーマットのアナログ音声信号に変換している。そして、この音声処理モジュール３１から出力されたアナログ音声信号が、スピーカ１１５に供給されることにより音声再生に供される。
【００２０】
このデジタルテレビジョン放送受信装置１１１は、上記した各種の受信動作を含むその全ての動作を制御モジュール３５によって統括的に制御されている。この制御モジュール３５は、ＣＰＵ（central processing unit）３５ａを内蔵しており、テレビジョン放送受信装置１１１の本体に設置された操作モジュール１１６（例えば、本体筺体の側面等に設けられた操作スイッチ）からの操作信号を受けて、または、リモートコントローラ１１７から送出され受光モジュール１１８で受信した操作信号を受けて、その操作内容が反映されるように各部をそれぞれ制御している。
【００２１】
この場合、制御モジュール３５は、メモリ３５ｂを利用している。このメモリ３５ｂは、主として、ＣＰＵ３５ａが実行する制御プログラムを格納したＲＯＭ（read only memory）と、該ＣＰＵ３５ａに作業エリアを提供するためのＲＡＭ（random access memory）と、各種の設定情報及び制御情報等が格納される不揮発性メモリとを有している。また、メモリ３５ｂには後述するデモモードの際に用いられる各種のデモ映像の映像データが記録されている。なお、センサモジュール１２１自体に記録領域がある場合には、デモ映像の映像データがセンサモジュール１２１に記録されていてもよい。
【００２２】
制御モジュール３５には、デモモード制御モジュール３５ｃを含む。デモモード制御モジュール３５ｃは、デモモードの開始や終了、デモモード中のデモ映像の出力処理など、デモモードに関わる処理を制御する。
【００２３】
制御モジュール３５には、ＨＤＤ（hard disk drive）３８が接続されている。制御モジュール３５は、ユーザによる操作モジュール１１６やリモートコントローラ１１７等の操作に基づいて、上記復調・復号モジュール２８から得られるデジタルの映像信号及び音声信号を、記録再生処理モジュール３９によって暗号化し所定の記録フォーマットに変換した後、ＨＤＤ３８に供給してハードディスク３８ａに記録させるように制御することができる。
【００２４】
制御モジュール３５は、ユーザによる操作モジュール１１６やリモートコントローラ１１７等の操作に基づいて、ＨＤＤ３８によりハードディスク３８ａからデジタルの映像信号及び音声信号を読み出させ、上記記録再生処理モジュール３９によって復号化した後、信号処理モジュール２９に供給することによって、以後、上記した映像表示及び音声再生に供させるように制御することができる。
【００２５】
上記デジタルテレビジョン放送受信装置１１１には、入力端子４０が接続されている。この入力端子４０は、デジタルテレビジョン放送受信装置１１１の外部からデジタルの映像信号及び音声信号を直接入力するためのものである。入力端子４０を介して入力されたデジタルの映像信号及び音声信号は、ユーザによる操作モジュール１１６やリモートコントローラ１１７等の操作に対応した制御モジュール３５の制御に基づいて、記録再生処理モジュール３９を介した後、信号処理部２９に供給されて、以後、上記した映像表示及び音声再生に供される。
【００２６】
入力端子４０を介して入力されたデジタルの映像信号及び音声信号は、ユーザによる操作モジュール１１６やリモートコントローラ１１７等の操作に対応した制御モジュール３５の制御に基づいて、記録再生処理モジュール３９を介した後、ＨＤＤ３８に対しての記録再生に供される。
【００２７】
制御モジュール３５は、ネットワークインターフェース４１を介して外部のネットワーク４２に接続されている。このため、制御モジュール３５は、ユーザによる操作モジュール１１６やリモートコントローラ１１７等の操作に基づいて、ネットワーク４２上の複数のネットワークサーバに選択的にアクセスすることにより、そこで提供している各種のサービスを利用することができるようになっている。
【００２８】
制御モジュール３５は、センサモジュール１２１と接続されている。これにより、センサモジュール１２１にて人物の存在を認識した場合に、制御モジュール３５（デモモード制御モジュール３５ｃ）は、デモモードに設定してデモ映像の出力を開始するよう映像処理モジュール３２を制御する。この点は後述する。
【００２９】
図３は、テレビジョン放送受信装置１１１が行なう処理動作の一例を示すフローチャートである。この処理動作は、テレビジョン放送受信装置１１１が店頭モードに設定された状態で行なわれる。
【００３０】
店頭モードは例えば以下のように設定される。すなわち、制御モジュール３５は、操作モジュール１１６やリモートコントローラ１１７の操作に応じて例えば図４に示すように、ユーザーモードと設定するか店頭モードと設定するかの選択メニュー１３１がディスプレイ１１４に表示されるよう合成処理モジュール３０、映像処理モジュール３２等を制御する。ユーザーモードは、「通常モードからデモモードへのセンサモジュール１２１による人物の存在・非存在の認識に応じた移行処理」「デモ映像の出力処理または非出力処理」等のデモモードに関わる処理が行われないモードであり、家庭用として好ましく用いられるモードである。店頭モードは、「通常モードからデモモードへのセンサモジュール１２１による人物の存在または非存在の認識に応じた移行処理」「デモ映像の出力処理または非出力処理」等のデモモードに関わる処理が行われるモードであり、家電量販店等にて好ましく用いられるモードである。このように、テレビジョン放送受信装置１１１は、映像処理モジュール３２からディスプレイ１１４へのデモ映像の出力の有効または無効の設定を選択的にユーザーに許可する選択手段を備える。なお、通常モードは、ユーザが普通に放送番組等を視聴するモードである。
【００３１】
本実施形態では、図４の選択メニュー１３１にてテレビジョン放送受信装置１１１が店頭モードに設定される（ステップ１）。なお、ディスプレイ１１には、例えばチューナ２７で受信した放送番組等が表示されているとする。
【００３２】
次に、任意の人物がテレビジョン放送受信装置１１１の正面等に立った場合、センサモジュール１２１は当該人物の顔または動きを検出し、人物の存在を認識する（ステップ２）。上記のとおり、センサモジュール１２１は例えばカメラセンサーであり、センシング範囲内にある人物の存在を例えば顔及び/または動きを画像検出することで認識する。
【００３３】
次に、テレビジョン放送受信装置１１１が操作モジュール１１６またはリモートコントローラ１１７にて操作中か否かが制御モジュール３５にて判別される（ステップ３）。ユーザ操作がされていなかった場合（ステップ３のＮｏ）は、デモモード制御モジュール３５ｃの制御に従ってテレビジョン放送受信装置１１１はデモモードに設定され、デモ映像の出力を開始する（ステップ４）。
【００３４】
一方、テレビジョン放送受信装置１１１が操作モジュール１１６またはリモートコントローラ１１７で操作中の場合（ステップ３のＹｅｓ）はデモモードには設定されず、例えばステップ２にループするようデモモード制御モジュール３５ｃが制御する。つまり、センサモジュール１２１を用いて人物の存在が認識されている場合であっても、当該人物あるいはそれ以外の誰かがテレビジョン放送受信装置１１１を操作中（例えば、チャンネル切り替え動作中、音量調整中等）の場合には、デモモードに突然切り換わってデモ映像が出力されると、ユーザ操作の実行を妨げることになりかねない。そこで本実施形態のテレビジョン放送受信装置１１１では、センサモジュール１２１にて人物の存在が認識されており、かつ、誰もテレビジョン放送受信装置１１１を操作していない場合に、デモモードに設定されて、デモ映像の出力が開始されるようデモモード制御モジュール３５ｃにより制御される。
【００３５】
デモモードに切り換わると、デモモード制御モジュール３５ｃの制御に応じて、所定の機能に関するデモ映像がディスプレイ１１４に出力される。デモモードで表示されるデモ映像のデータは予め記録領域（例えばメモリ３５ｂ）に記憶されている。本実施形態のデモモードでは、超解像処理と動画改善処理の２つについてのデモ映像が所定時間ごとに順にディスプレイ１１４に出力されるとして以下説明する。超解像処理は、第１の映像信号から本来の画素値を推定して画素を増やすことにより、高解像度の映像信号を復元する鮮鋭化処理である。動画改善処理は映像中の動きのある部分をより滑らかに表示する映像処理であり、例えば１秒間に毎秒６０コマで送られてくる映像の間に補間フレームを生成することでフレームレートを変換し、毎秒１２０コマ（あるいはそれ以上）のコマ表示を実現する処理である。
【００３６】
デモモードが開始されると、デモモード制御モジュール３５ｃは、紹介されるデモ映像の機能名及び境界線をディスプレイ１１４に表示するよう映像処理モジュール３２等を制御する。具体的には例えば、図５に示すようにディスプレイ１１４の中央上面に当該デモ映像に対応する機能「超解像処理」と表示し、画面を左右に２等分する位置に境界線が表示される。さらに、２等分された右側の画面下方に「ＯＦＦ」、左側の画面下方に「ＯＮ」と表示される。ここで、「ＯＦＦ」は超解像処理がされていない画像であること、「ＯＮ」は超解像処理がされている画像であることを意味する。このように、超解像処理をしている画像と、超解像処理をしていない画像とが同じ画面に同時に並んで表示される。このため、その画像の違い（例えば映像の鮮鋭度の違い）からテレビジョン放送受信装置１１１が有する超解像処理の機能を視聴者が容易に確認できる。
【００３７】
超解像処理についてのデモ映像として予め設定された期間（例えば３０秒間）が終了した場合、続いて動画改善処理についてのデモ映像が出力される。具体的には例えば図６に示すように、ディスプレイ１１４の中央上面に「動画改善処理」と表示し、画面を左右に２等分する位置に境界線が表示され、所定の静止画像データが右から左へ速いスピードでスクロールするようデモモード制御モジュール３５ｃにより制御される。
【００３８】
２等分された右側の画面下方に「ＯＦＦ」、左側の画面下方に「ＯＮ」と表示される。ここで、「ＯＦＦ」は動画改善処理がされていない領域であること、「ＯＮ」は動画改善処理がされている領域であることを意味する。なお、ディスプレイ１１４の画面の左に消えた画像は、再びディスプレイ１１４の画面の右側から現れるように構成されていてもよい。
【００３９】
速いスピードでスクロール表示されるのは、動画改善は速い動作の中出その効果が顕著に現れるためである。このようにして、動画改善処理をしている領域の画像と、動画改善処理をしていない領域の画像とが同じディスプレイ１１４上で同時に並んで表示されるため、その画像の画質の違いからテレビジョン放送受信装置１１１が有する動画改善処理の機能を視聴者が容易に確認できる。
【００４０】
なお、本実施形態では、ディスプレイ１１４に表示される超解像処理、動画改善処理、境界線、ＯＮ、ＯＦＦ等の表示は画像のスクロールと独立しており、ディスプレイ１１４上に固定されて表示される。
【００４１】
上述したデモ映像が出力されている途中（つまり、デモモード中）、操作モジュール１１６またはリモートコントローラ１１７で所定の操作がされたか否かが制御モジュール３５（デモモード制御モジュール３５ｃ）にて判別される（ステップ５）。
【００４２】
デモ映像が出力されている途中で所定の操作がなされた場合（ステップ５のＹｅｓ）、デモ映像の出力は途中で停止されてデモモードは終了し（ステップ６）、操作モジュール１１６またはリモートコントローラ１１７に応じた処理が成される。例えば、ユーザがデモモードの終了操作を行なった場合にはデモモードは終了する。例えば、デモモードを終了するか否かの選択メニューをディスプレイ１１４に表示され、当該選択メニューの操作に応じてデモモードは終了する。
【００４３】
デモ映像が出力されている途中で操作モジュール１１６またはリモートコントローラ１１７による所定の操作がなされず（ステップ５のＮｏ）、全てのデモ映像（例えば上記超解像処理及び動画改善処理のデモ映像）の出力が終了した場合、デモモードは終了する（ステップ７）。なお、デモモードが終了した後は、通常の放送番組の画面に切り替えてもよいし、デモ映像を開始位置（上記例であれば超解像処理のデモ映像）からループして再出力するようにしてもよい。
【００４４】
以上説明したように本実施形態では、センサモジュール１２１にて人物の存在を認識した場合に、デモモードとなり、デモ映像の出力が開始されるようにデモモード制御モジュール３５ｃにより制御される。かかる構成によれば、店頭などで顧客がテレビジョン放送受信装置１１１の前等に来たときのタイミングにあわせてデモ映像を開始位置から出力できる。このため、デモ映像の内容をより効果的に視聴者に提供し、視聴者に対する訴求効果を高めることができる。
【００４５】
なお、デモ映像の表示形式は上記図５や図６で示した例に限定されない。例えば、デモモードに切り換わると、図７に示すように、テレビジョン放送受信装置１１１が持つ特徴の幾つかの項目を表示するデモ映像領域１４０をディスプレイ１１４の一部に表示するよう構成してもよい。この場合、デモ映像領域１４０以外の領域には放送番組等が表示されていてもよい。デモ映像領域１４０には、特徴欄１４１が少なくとも一つ含まれ、当該テレビジョン放送受信装置１１１が持つ特徴の幾つか（Ａ，Ｂ，Ｃ，Ｄ）が表示される。例えば、特徴欄Ａに超解像処理、特徴欄Ｂに動画改善処理、特徴欄ＣにＬＥＤバックライト制御、特徴欄Ｄにオート画質調整など、テレビジョン放送受信装置１１１が持つ機能の名称が文字表示される。かかる特徴欄１４０により、視聴者は当該テレビジョン放送受信装置１１１が持つ主な特徴を把握することができる。
【００４６】
次に、所定時間経過後（例えば１５秒後）、図８に示すように画面遷移する。ここでは、特徴欄Ａ（上述した例であれば超解像処理）に対応する説明が含まれる説明領域１４２がデモ映像領域１４０に含まれて表示される。例えば、説明領域１４２には超解像処理が、映像信号の解像度を高めて出力する処理であることやそのメカニズムについての説明文が表示される。以下同様にＢ、Ｃ、Ｄが順に説明される。このように、ディスプレイ１１４の一部に対してデモ映像を表示するよう構成されていてもよい。
【００４７】
なお、センサモジュール１２１にて人物の認識が出来なくなった場合に、デモ映像の出力が自動的に終了するよう映像処理モジュール３２を制御するよう制御モジュール（デモモード制御モジュール３５ｃ）が制御してもよい。
【００４８】
次に、本発明の他の実施形態について説明する。他の実施形態では、センサモジュールにて第１の人物を認識してデモ映像の出力が開始された後に、別の人物（第２の人物）を認識した場合に、デモ映像の開始位置から再度デモ映像を出力する点が上記実施形態と異なる。また、センサモジュールにて第１の人物を認識して、デモ映像の出力が開始された後に第１の人物と異なる第２の人物を認識した場合であっても、第１の人物が認識されている場合は、デモ映像を開始位置から出力し直さないようにする点が上記実施形態と異なる。
【００４９】
他の実施形態に係るテレビジョン放送受信装置１１１について図９のフローチャートを参照して説明する。なお、上記実施形態と同様の点については、同一符号を付してその説明を省略するか簡略する。
【００５０】
第１の人物がテレビジョン放送受信装置１１１の正面等に立った場合、センサモジュール１２１は当該人物の顔または動きを検出し、第１の人物の存在を認識する（ステップ１２）。
【００５１】
人物の存在の認識によりデモモードが開始されると（ステップ４）、デモモード制御モジュール３５ｃの制御により、図５〜図８で示したようなデモ映像がディスプレイ１１４に表示される。
【００５２】
デモ映像が表示されている途中で第１の人物がテレビジョン放送受信装置１１１の正面から居なくなると、センサモジュール１２１にて当該第１の人物の顔または動きが検出されなくなる（ステップ１５）。つまり、センサモジュール１２１にて、第１の人物の存在を認識できなくなったとする。
【００５３】
次に、第１の人物とは異なる別の人物（第２の人物）がテレビジョン放送受信装置１１１の正面等に立ち、センサモジュール１２１が当該第２の人物の顔または動きを検出し、第２の人物の存在を認識する（ステップ１６）。
【００５４】
次に、当該テレビジョン放送受信装置１１１が操作モジュール１１６またはリモートコントローラ１１７にて操作中か否かが制御モジュール３５にて判別される（ステップ１７）。ユーザ操作がされていなかった場合（ステップ１７のＮｏ）は、デモモード制御モジュール３５ｃの制御に従ってデモ映像が開始位置から再出力される（ステップ１８）。なお、第１の人物が認識出来なくなる前に第２の人物を認識した場合は、デモ映像の開始位置からの再出力は行なわれない。
【００５５】
一方、テレビジョン放送受信装置１１１が操作モジュール１１６またはリモートコントローラ１１７で操作中の場合（ステップ１７のＹｅｓ）はデモ映像の再出力を開始せず、例えばステップ１６にループするようデモモード制御モジュール３５ｃが制御する。つまり、ステップ４にて開始されたデモ映像は引き続き出力される。
【００５６】
デモモードが再開始されると、デモモード制御モジュール３５ｃの制御に応じて、所定の機能に関するデモ映像が開始位置から出力される。つまり、センサモジュール１２１を用いて第１の人物を認識して、デモ映像の出力が開始された後に第２の人物を認識した場合、デモ映像が開始位置から再出力される。例えば、ステップ４にてデモモードが開始され、第２の人物を認識した時点では超解像処理についてのデモ映像は終了し、動画改善処理についてのデモ映像が表示されていた場合には、開始位置のデモ映像（超解像処理についてのデモ映像）から再出力する。
【００５７】
再出力されたデモ映像が出力されている途中で操作モジュール１１６またはリモートコントローラ１１７で操作がされたか否かが判別される（ステップ１９）。デモ映像が出力されている途中で操作がなされた場合（ステップ１９のＹｅｓ）、ステップ６にて説明したのと同様にデモ映像の出力は停止されてデモモードは終了し（ステップ２０）、操作モジュール１１６またはリモートコントローラ１１７に応じた処理が成される。
【００５８】
デモ映像が出力されている途中で操作モジュール１１６またはリモートコントローラ１１７で操作がされず（ステップ１９のＮｏ）、全てのデモ映像（例えば上記超解像処理及び動画改善処理のデモ映像）の出力が終了した場合はステップ７にて説明したのと同様にデモモードは終了する（ステップ２１）。
【００５９】
以上説明したように他の実施形態では、センサモジュール１２１を用いて第１の人物を認識して、デモ映像の出力が開始された後に、第２の人物を認識した場合、デモ映像を開始位置から再出力されるよう制御される。かかる構成によれば、第２の人物に対して、改めてデモ映像を開始位置から提供できるため、訴求効果を高めることができる。
【００６０】
また、本実施形態では、第１の人物の顔またはデモ映像が出力されている途中で第１の人物がテレビジョン放送受信装置１１１の正面から居なくなり、センサモジュール１２１にて当該第１の人物の顔または動きが検出されなくなり（ステップ１５）、第１の人物の存在を認識できなくなった後に第２の人物の顔または動きが検出された場合にデモ映像を開始位置から再出力させている。このように、第１の人物の存在が認識されている限りは、仮に第２の人物が認識されたとしても、デモ映像を再開始させないよう制御することがより好ましい。つまり、第１の人物がデモ映像を視聴している最中に、第２の人物が認識されたからといってデモ映像を開始位置から再出力すると、第１の人物にとっては同じデモ映像を再度視聴することになり、全てのデモ映像を第１の人物に提供できなくなるおそれがある。従って、かかる不都合を回避する観点から、第１の人物の存在が認識されているかぎりは、仮に第２の人物が認識されたとしても、デモ映像を開始位置から再出力させないよう制御することがより好ましい。
【００６１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。
【００６２】
例えば、デモモード制御モジュール３５ｃは、デモ映像に対応する音声の音量が、通常放送の音声の音量よりも大きくなるように音声処理モジュールを制御してもよい。また、仮にテレビジョン放送受信装置１１がミュート状態あるいは音量ゼロの状態であってもデモモードに切り換わると音量が大きくなるように音声処理モジュールを制御してもよい。かかる構成により、デモ映像の内容をより効果的に視聴者に提供し、訴求効果を高めることが出来る。
【００６３】
また、センサモジュール１２１で認識した人物の顔の情報を自動記録してもよい。例えば、第１の人物を認識した場合に、制御モジュール３５（デモモード制御モジュール３５ｃ）は、当該第１の人物の顔の情報をメモリ３５ｂに記録するとともに第１のデモ映像を出力するよう映像処理モジュール３２を制御する。そして、センサモジュールにて第１の人物の存在を認識しなくなった後に（つまり、第１の人物が不在となった後に）、再度第１の人物がセンサモジュール１２１にて認識された場合に、第１のデモ映像とは異なる第２のデモ映像を出力するよう映像処理モジュール３２が制御モジュール３５（デモモード制御モジュール３５ｃ）により制御されてもよい。例えば第１のデモ映像としては、第１の画像（例えば人物画像）を用いたデモ映像であり、第２のデモ映像は第１の画像とは異なる第２の画像（例えば風景画像）を用いたデモ映像である。かかる構成によれば、第１の人物に１度目と２度目とで異なるデモ映像を提供することが出来る。このため、デモ映像の内容をより効果的に視聴者に提供し、訴求効果を高めることができる。
【００６４】
また、第１の人物の顔またはデモ映像が出力されている途中で第１の人物がテレビジョン放送受信装置１１１の正面から居なくなり、センサモジュール１２１にて当該第１の人物の顔または動きが検出されなくなり（ステップ１５）、第１の人物の存在を認識できなくなった後に再度第１の人物の顔または動きが検出された場合にデモ映像を開始位置から再出力させてもよい。あるいは、センサモジュール１２１にて第１の人物の顔または動きが検出されなくなったことに応じて当該時点におけるデモ映像の位置（例えば、デモ映像の開始位置からＸ秒後の位置等）を記憶し、再度第１の人物の顔または動きが検出された場合に、当該記憶した位置からデモ映像を出力させてもよい。
【符号の説明】
【００６５】
２５…アンテナ、２６…入力端子、２７…チューナー、２８…復調・復号モジュール、２９…信号処理モジュール、３０…合成処理モジュール、３１…音声処理モジュール、３２…映像処理モジュール、３３…ディスプレイ、３４…スピーカ、３５…制御モジュール、３５ａ…ＣＰＵ、３５ｂ…メモリ、３５ｃ…デモモード制御モジュール、３６…操作モジュール、３７…受信モジュール、３８…ＨＤＤ、３９…記録再生処理モジュール、４０…入力端子、４１…ネットワークインターフェース、４２…ネットワーク、１１１…テレビジョン放送受信装置、１１２…キャビネット、１１３…支持台、１１４…ディスプレイ、１１５…スピーカ、１１６…操作モジュール、１１７…リモートコントローラ、１１８…受光モジュール、１１９…イルミネーション、１２０…電源インジケータ、１２１…センサモジュール、１３１…選択メニュー、１４０…デモ映像領域、１４１…特徴欄、１４２…説明領域
【図１】
2012231256.tif 000003
【図２】
2012231256.tif 000004
【図３】
2012231256.tif 000005
【図４】
2012231256.tif 000006
【図５】
2012231256.tif 000007
【図６】
2012231256.tif 000008
【図７】
2012231256.tif 000009
【図８】
2012231256.tif 000010
【図９】
2012231256.tif 000011
【手続補正書】
【提出日】平成24年4月4日(2012.4.4)
【手続補正１】
【補正対象書類名】特許請求の範囲
【補正対象項目名】全文
【補正方法】変更
【補正の内容】
【特許請求の範囲】
【請求項１】
人物の存在を認識するセンサモジュールと、
自装置の有する機能に関するデモ映像を出力する映像処理モジュールと、
前記センサモジュールにて人物の存在を認識した場合に、前記デモ映像の出力を開始するよう前記映像処理モジュールを制御する制御モジュールとを備え、
前記センサモジュールにて第１の人物を認識して、前記デモ映像の出力が開始された後に前記第１の人物と異なる第２の人物を認識した場合であっても、前記第１の人物が認識されている場合は、前記制御モジュールは前記デモ映像を開始位置から出力し直さないよう前記映像処理モジュールを制御する映像処理装置。
【請求項２】
前記センサモジュールにて前記第１の人物を認識して、前記デモ映像の出力が開始された後に、前記第１の人物を認識しなくなり、前記第１の人物と異なる前記第２の人物を認識した場合、前記制御モジュールは前記デモ映像を開始位置から出力し直すよう前記映像処理モジュールを制御する請求項１に記載の映像処理装置。
【請求項３】
前記センサモジュールにて前記第１の人物を認識して、前記デモ映像の出力が開始された後に、前記第１の人物を認識しなくなり、その後前記第１の人物を認識した場合、前記制御モジュールは前記デモ映像を開始位置から出力し直すよう前記映像処理モジュールを制御する請求項２に記載の映像処理装置。
【請求項４】
前記デモ映像の前記映像処理モジュールからの出力を有効または無効に設定することを選択的に許可する選択手段を備える請求項１に記載の映像処理装置。
【請求項５】
前記センサモジュールにて人物の認識が出来なくなった場合に、前記制御モジュールは、前記デモ映像の出力を終了するよう前記映像処理モジュールを制御する請求項１に記載の映像処理装置。
【請求項６】
前記受光モジュールは音声信号を受信し、
前記デモ映像に対応する音声または前記音声信号に応じた音声を出力する音声処理モジュールを更に備え、
前記制御モジュールは、前記デモ映像に対応する音声の音量が前記音声信号に応じた音声の音量よりも大きくなるよう前記音声処理モジュールを制御することを特徴とする請求項１に記載の映像処理装置。
【請求項７】
前記センサモジュールで認識した人物の顔の情報を記憶するメモリを備え、
前記制御モジュールは、前記センサモジュールにて前記第１の人物の存在を認識した場合に、当該第１の人物の顔の情報を前記メモリに記録するよう制御し、かつ、第１のデモ映像を出力するよう前記映像処理モジュールを制御し、
前記センサモジュールにて前記第１の人物の存在を認識しなくなった後に、前記センサモジュールにて前記第１の人物を再び認識した場合に、前記第１のデモ映像とは異なる第２のデモ映像を出力するよう前記映像処理モジュールを制御する請求項１に記載の映像処理装置。
【請求項８】
デモ映像を出力する映像処理モジュールを備える映像処理装置の映像処理方法であって、
センサモジュールにて人物の存在を認識した場合に、前記映像処理装置の有する機能に関するデモ映像の出力を開始するよう前記映像処理モジュールを制御し、
前記センサモジュールにて第１の人物を認識して、前記デモ映像の出力が開始された後に前記第１の人物と異なる第２の人物を認識した場合であっても、前記第１の人物が認識されている場合は、前記デモ映像を開始位置から出力し直さないよう前記映像処理モジュールを制御する、映像処理方法。